(57)【要約】【課題】携帯電話機などの外部端末で出力される情報をテレビなどの情報処理装置で出力する場合であっても、ユーザがそれらの対応関係を把握できずに混乱することを防ぐことができる情報処理装置、テレビ、プログラム及び情報処理方法を提供する。【解決手段】情報処理装置は、外部端末の第１の情報出力手段に出力される第１の情報を識別する情報識別手段と、識別された第１の情報と関連付けられている第２の情報を取得する情報取得手段と、第２の情報を出力する際に、第１の情報及び第２の情報の時間的又は空間的の少なくとも１以上の対応関係を併せて出力する第２の情報出力手段とを有する。【選択図】図１０
2007156961.tif 000002
【特許請求の範囲】
【請求項１】
外部端末の第１の情報出力手段に出力される第１の情報を識別する情報識別手段と、
識別された前記第１の情報と関連付けられている第２の情報を取得する情報取得手段と、
前記第２の情報を出力する際に、前記第１の情報及び前記第２の情報の時間的又は空間的の少なくとも１以上の対応関係を併せて出力する第２の情報出力手段と、
を有することを特徴とする情報処理装置。
【請求項２】
前記第２の情報は、前記第１の情報と精細度が異なることを特徴とする請求項１に記載の情報処理装置。
【請求項３】
前記第１の情報は、所定の範囲について表現した情報であり、
前記第２の情報は、前記第１の情報より広範囲又は狭範囲について表現した情報を含むことを特徴とする請求項１に記載の情報処理装置。
【請求項４】
前記情報取得手段は前記第１の情報を取得し、
前記第２の情報出力手段は前記第１の情報の一部又は全部を出力後、前記第２の情報を出力することによって前記対応関係を出力することを特徴とする請求項１から３までのいずれかの項に記載の情報処理装置。
【請求項５】
前記第２の情報出力手段は、
前記第１の情報の一部又は全部を出力後、前記第２の情報を出力する際に、第１の情報と第２の情報を時間的又は空間的の少なくとも１以上で同期させて出力することを特徴とする請求項４に記載の情報処理装置。
【請求項６】
前記第２の情報出力手段は、
前記第１の情報の一部又は全部を出力後、前記第２の情報を出力する際に、前記第１の情報又は前記第２の情報の少なくとも１以上から動的に生成される、少なくとも１以上の中間段階を経て段階的に行うことを特徴とする請求項４又は５に記載の情報処理装置。
【請求項７】
前記情報取得手段は、前記第１の情報出力手段における前記第１の情報の出力様態に関する情報を取得し、
前記第２の情報出力手段は、前記第１の情報又は前記第２の情報の出力時に、前記第１の情報の出力様態に関する情報を出力することを特徴とする請求項１から６までのいずれかの項に記載の情報処理装置。
【請求項８】
携帯機器のディスプレイに出力される第１の情報を識別する情報識別手段と、
識別された前記第１の情報と関連付けられている第２の情報を取得する情報取得手段と、
前記第２の情報を出力する際に、前記第１の情報及び前記第２の情報の時間的又は空間的の少なくとも１以上の対応関係を併せて出力するディスプレイと、
を有することを特徴とするテレビ。
【請求項９】
情報処理装置のコンピュータに、
外部端末の第１の情報出力手段に出力される第１の情報を識別する第１のステップと、
識別された前記第１の情報と関連付けられている第２の情報を取得する第２のステップと、
前記第２の情報を出力する際に、前記第１の情報及び前記第２の情報の時間的又は空間的の少なくとも１以上の対応関係を併せて出力する第３のステップと、
を実行させることを特徴とするプログラム。
【請求項１０】
外部端末の第１の情報出力手段に出力される第１の情報を情報識別手段により識別し、
識別された前記第１の情報と関連付けられている第２の情報を情報取得手段により取得し、
前記第２の情報を出力する際に、前記第１の情報及び前記第２の情報の時間的又は空間的の少なくとも１以上の対応関係を併せて第２の情報出力手段により出力することを特徴とする情報処理方法。
【発明の詳細な説明】
【技術分野】
【０００１】
本発明は、情報処理装置、テレビ、プログラム及び情報処理方法、特にユーザが試聴する画像などの情報を出力する情報処理装置、テレビ、プログラム及び情報処理方法に関する。
【背景技術】
【０００２】
近年、携帯型音楽プレイヤや携帯電話機に代表されるモバイル機器が、動画や静止画、音楽などのさまざまなメディアを扱えるようになってきた。しかしながら、多くの場合、モバイル機器が有するディスプレイやスピーカなどの情報出力手段は、テレビなどの固定機器が有する情報出力手段に比べて機能が劣ることが多い。
そこで、モバイル機器に内蔵されている記憶装置に記憶されている情報を、より高品位な情報出力手段を有するテレビなどの外部機器において出力したいという要求がある。例えば、ユーザが普段持ち歩く携帯電話機には、携帯電話機に付属しているカメラで撮影した画像が記憶される。ユーザは携帯電話機の情報出力手段であるディスプレイでその画像を見ることができるが、携帯電話機のディスプレイは小さく、仮に画像がより高解像度で記憶されていたとしても、縮小された画像しか見ることができない。もしテレビなどの大画面の情報出力手段を備える外部機器が利用可能であるならば、その外部機器に画像を転送して表示させることで、大画面で画像を閲覧することができる。
【０００３】
図２２（ａ）〜（ｅ）は、従来の情報処理システムを説明するための図である。この情報処理システムは、外部機器である携帯電話機２０１（図２２（ａ））と、情報処理装置であるテレビ２０６（図２２（ｂ））を備えている。この情報処理システムでは、携帯電話機２０１のディスプレイ２０３で表示されている画像の情報を、例えば赤外線通信を利用してテレビ２０６の赤外線受発光部２０８に向けて送信し、ディスプレイ２０７に表示させる。
【０００４】
ここでは、ディスプレイ２０３とディスプレイ２０７における画面サイズ、画面解像度、色数などの制約に従い、双方の機器で出力様態が調整されることを除いては、双方の機器で同一の画像等のコンテンツが表示されることにより出力される。図２２（ｃ）は携帯電話機２０１で表示されている画像と同一の画像ｇ１をテレビ２０６のディスプレイ２０７で表示した際のイメージを示している。図２２（ｃ）に示すように、画像ｇ１は大画面のディスプレイ２０７で見るには解像度が足りず、ぼやけたものになっている。
仮に、画像ｇ１（図２２（ｃ））より高解像度の画像ｇ２（図２２（ｄ））が利用可能であれば、画像ｇ２を利用する方が、テレビ２０６の高解像度のディスプレイ２０７を有効に利用することができる。また仮に、画像ｇ１（図２２（ｄ））より広範囲について表現した画像ｇ３（図２２（ｅ））が利用可能であれば、画像ｇ３を利用する方がテレビ２０６のディスプレイ２０７を有効に利用することができる。
このようにモバイル機器である携帯電話２０１に記憶されている画像等の情報を、出力特性の異なる外部機器であるテレビ２０６で出力する際には、テレビ２０６の出力特性により適合した情報が利用可能であるならば、そちらを利用することが望ましい。
【０００５】
特許文献１には、携帯電話機で表示される比較的低解像度の地図をプリンタに出力する際に、地図に関連付けられたＵＲＬ(Uniform Resource Locators)から高解像度の地図をダウンロードにより取得して出力する技術が開示されている。また、非特許文献１には、Ｗ３Ｃ（World Wide Web Consortium）で規格化されているＣＣ／ＰＰ（Composite Capability / Preference Profiles）など、コンテンツの属性を記述するコンテンツプロファイルと出力機器の能力を記述する端末プロファイルとをマッチングさせることで、出力機器に最適なメディアを選択あるいは生成して出力させる技術が開示されている。
【特許文献１】特開２００２−３６６３８号公報
【非特許文献１】Composite Capability/Preference Profiles （CC/PP）: Structure and Vocabularies 1.0, W3C Recommendation
【発明の開示】
【発明が解決しようとする課題】
【０００６】
しかしながら、モバイル機器である携帯電話機２０２（図２２（ａ））と外部機器であるテレビ２０６（図２２（ｂ））の双方がディスプレイ２０３、２０７などの情報出力手段を有しており、ユーザが双方のディスプレイから出力される画像等の情報を視聴する場合、それらの画像等の間の対応関係が把握できず、ユーザが混乱する可能性があった。
例えば、ユーザが比較的低解像度・少情報量の地図を携帯電話機２０１のディスプレイ２０３により閲覧後に、その地図を大画面のテレビ２０６のディスプレイ２０７に表示させると、ディスプレイ２０３で表示した地図と、ディスプレイ２０７で表示した地図との見た目が異なるため、ユーザはそれぞれの地図の対応関係を把握しにくいという問題があった。
【０００７】
本発明は、上記事情に鑑みてなされたものであり、その目的は、携帯電話機などの外部端末で出力される情報をテレビなどの情報処理装置で出力する場合であっても、ユーザがそれらの対応関係を把握できずに混乱することを防ぐことができる情報処理装置、テレビ、プログラム及び情報処理方法を提供することにある。
【課題を解決するための手段】
【０００８】
本発明は、上記課題を解決するためになされたもので、請求項１に記載の情報処理装置は、外部端末の第１の情報出力手段に出力される第１の情報を識別する情報識別手段と、識別された前記第１の情報と関連付けられている第２の情報を取得する情報取得手段と、前記第２の情報を出力する際に、前記第１の情報及び前記第２の情報の時間的又は空間的の少なくとも１以上の対応関係を併せて出力する第２の情報出力手段とを有する。
【０００９】
また、請求項２に記載の情報処理装置は、前記第２の情報は、前記第１の情報と精細度が異なる。
【００１０】
また、請求項３に記載の情報処理装置は、前記第１の情報は、所定の範囲について表現した情報であり、前記第２の情報は、前記第１の情報より広範囲又は狭範囲について表現した情報を含む。
【００１１】
また、請求項４に記載の情報処理装置は、前記情報取得手段は前記第１の情報を取得し、前記第２の情報出力手段は前記第１の情報の一部又は全部を出力後、前記第２の情報を出力することによって前記対応関係を出力する。
【００１２】
また、請求項５に記載の情報処理装置は、前記第２の情報出力手段は、前記第１の情報の一部又は全部を出力後、前記第２の情報を出力する際に、第１の情報と第２の情報を時間的又は空間的の少なくとも１以上で同期させて出力する。
【００１３】
また、請求項６に記載の情報処理装置は、前記第２の情報出力手段は、前記第１の情報の一部又は全部を出力後、前記第２の情報を出力する際に、前記第１の情報又は前記第２の情報の少なくとも１以上から動的に生成される、少なくとも１以上の中間段階を経て段階的に行う。
【００１４】
また、請求項７に記載の情報処理装置は、前記情報取得手段は、前記第１の情報出力手段における前記第１の情報の出力様態に関する情報を取得し、前記第２の情報出力手段は、前記第１の情報又は前記第２の情報の出力時に、前記第１の情報の出力様態に関する情報を出力する。
【００１５】
また、請求項８に記載のテレビは、携帯機器のディスプレイに出力される第１の情報を識別する情報識別手段と、識別された前記第１の情報と関連付けられている第２の情報を取得する情報取得手段と、前記第２の情報を出力する際に、前記第１の情報及び前記第２の情報の時間的又は空間的の少なくとも１以上の対応関係を併せて出力する。
【００１６】
また、請求項９に記載のプログラムは、情報処理装置のコンピュータに、外部端末の第１の情報出力手段に出力される第１の情報を識別する第１のステップと、識別された前記第１の情報と関連付けられている第２の情報を取得する第２のステップと、前記第２の情報を出力する際に、前記第１の情報及び前記第２の情報の時間的又は空間的の少なくとも１以上の対応関係を併せて出力する第３のステップとを実行させる。
【００１７】
また、請求項１０に記載の情報処理方法は、外部端末の第１の情報出力手段に出力される第１の情報を情報識別手段により識別し、識別された前記第１の情報と関連付けられている第２の情報を情報取得手段により取得し、前記第２の情報を出力する際に、前記第１の情報及び前記第２の情報の時間的又は空間的の少なくとも１以上の対応関係を併せて第２の情報出力手段により出力する。
【発明の効果】
【００１８】
本発明では、外部端末の第１の情報出力手段に出力される第１の情報を情報識別手段により識別し、その識別された第１の情報と関連付けられている第２の情報を情報取得手段により取得し、第２の情報を出力する際に、第２の情報と第１の情報及び第２の情報の時間的又は空間的の少なくとも１以上の対応関係を併せて第２の情報出力手段により出力するようにした。
これにより、第２の情報出力手段により第２の情報を出力する際に、第１の情報と第２の情報の対応関係も併せて出力することができるので、第１の情報と第２の情報との関係をユーザに対して容易に把握させることができる。
【発明を実施するための最良の形態】
【００１９】
以下、図面を参照し、本発明の実施形態について説明する。
図１（ａ）〜（ｃ）は、本発明の実施形態による情報処理システムの構成を示す概略図である。この情報処理システムは、外部端末であるクラムシェル型の携帯電話機１０１と、大画面を有する情報処理装置であるテレビ１０６とを備えている。クラムシェル型とは、上部筐体１１５の下端と下部筐体１１６の上端とがヒンジ１１７により接合されており、ヒンジ１１７が備えるＡ−Ａ’に平行な軸を回転軸として、上部筐体１１５と下部筐体１１６との位置関係を、開いた状態（図１（ａ））と閉じた状態（図１（ｂ））との間で任意に変形可能な構造をいう。
なお、本実施形態では、外部端末である携帯機器が携帯電話機１０１であるが、外部端末である携帯機器としてＰＤＡ（Personal Digital Assistance）、ＰＨＳ（Personal Handyphone System）、ＰＣ（Personal Computer）、テレビ１０６のリモコンなどその他の機器を用いることもできる。また、本実施形態では、情報処理装置がテレビであるが、情報処理装置としてプロジェクタやＰＣなどその他の機器を使用することもできる。
【００２０】
携帯電話機１０１はメインディスプレイ１０３（図１（ａ））とサブディスプレイ１１０（図１（ｂ））を有しており、折り畳み状態により、利用されるディスプレイが変化する。また、携帯電話機１０１は、ユーザが指示を入力するボタン１０４（図１（ａ））及び１１１（図１（ｂ））、情報処理装置であるテレビ１０６と通信するための赤外線発光部１０２（図１（ａ））及び１１２（図１（ｂ））を有し、折り畳み状態により、一方が利用され、一方は機能停止される。また、携帯電話機１０１はスピーカ１０５を有しており、音声を出力することも可能である。
携帯電話機１０１からテレビ１０６のディスプレイ１０７に画像等の情報を送る方法としては、携帯電話機１０１の赤外線発光部１０２又は１１２と、テレビ１０６の赤外線受光部１０８の間で行われる赤外線通信を利用したり、可搬型記憶媒体１１４を利用したりすることができる。なお、携帯電話機１０１とテレビ１０６とは、有線接続することにより画像等の情報を送受信してもよいし、赤外線に限らない通信方法（Ｂｌｕｅｔｏｏｔｈ（登録商標）など）によって無線接続することにより情報を送受信してもよい。このような構成にすることにより、ユーザは大画面のディスプレイ１０７により画像等を楽しむことができる。
【００２１】
携帯電話機１０１と赤外線受光部１０８を介して情報の受け渡しを行うテレビ１０６（図１（ｃ））は、携帯電話機１０１が有するメインディスプレイ１０３とサブディスプレイ１１０とは大きさ、形状が異なるディスプレイ１０７を有する。テレビ１０６は更にスピーカ１０９を有し、音声を出力することができる。
ここで、携帯電話機１０１のメインディスプレイ１０３は、２４０×３２０ドット、２．２インチのＱＶＧＡ（Quarter Video Graphics Array）の解像度と大きさを有する。また、サブディスプレイ１１０は、１２０×９０ドット、１．１インチの解像度と大きさを有する。また、テレビ１０６のディスプレイ１０７（図１（ｃ））は、１９２０×１０８０ドット、４５インチの解像度と大きさを有するＦｕｌｌ−ＨＤ（Full High Definition）のディスプレイを用いている。
【００２２】
図２（ａ）〜（ｄ）は、ディスプレイ１０７、サブディスプレイ１１０、メインディスプレイ１０３のアスペクト比を説明するための図である。図２（ａ）に示すように、テレビ１０６のディスプレイ１０７のアスペクト比は９：１６である。また、図２（ｂ）に示すように、携帯電話機１０１のサブディスプレイ１１０のアスペクト比は、３：４である。また、図２（ｃ）に示すように、携帯電話機１０１のメインディスプレイ１０３のアスペクト比は４：３である。
図２（ｄ）は、図２（ａ）〜（ｃ）を重ねたものであり、ディスプレイの表示領域がそれぞれ異なることを示している。
【００２３】
本実施形態では、図１に示すように、携帯電話機１０１のメインディスプレイ１０３又はサブディスプレイ１１０に表示されている画像の情報を、赤外線通信により、テレビ１０６に送信し、ディスプレイ１０７に表示する。なお、ここでは、通信はＩｒＤＡ（Infrared Data Association）やＩｒＳｉｍｐｌｅ（登録商標）などのプロトコルに準拠した赤外線通信を使用しているが、他の通信手段を使用してもよい。また、２つの機器間で転送される情報も画像の情報である必要はなく、音声等の他の情報であってもよいが、少なくとも双方の機器がその情報に対応したディスプレイやスピーカなどの情報出力手段を有することが必要である。情報の内容が静止画や動画である場合にはディスプレイが必要となるし、情報の内容が音声である場合にはスピーカが必要になる。
【００２４】
図３は、本実施形態による携帯電話機１０１（外部端末）の構成の一例を、本発明によって付加された構成を中心に特に取り出して示すブロック図である。携帯電話機１０１において、ユーザ操作部７０１を介して入力されるユーザ操作はユーザ操作制御部７０６において取得、制御され、情報制御部７０７に情報制御命令が伝えられる。ユーザ操作部７０１は、ボタン１０４（図１（ａ））やボタン１１１（図１（ｂ））により構成される。情報制御部７０７は情報記憶部７０２に記憶されている情報を表示制御部７１０に出力して、表示部７０９において表示させる。表示部７０９は、メインディスプレイ１０３（図１（ａ））やサブディスプレイ１１０（図１（ｂ））により構成される。情報記憶部７０２に存在しない情報に関しては、ユーザ操作に従い、ネットワークインタフェース部７０４を介して情報取得部７０８がネットワーク７０５から取得し、情報記憶部７０２に記憶させた上、上述した処理を経て表示部７０９に表示される。ネットワークインタフェース部７０４は、赤外線発光部１０２（図１（ａ））や赤外線発光部１１２（図１（ｂ））により構成される。ユーザ操作制御部７０６は表示制御部７１０に対し、現在、表示部７０９に表示されている情報の閲覧様態（ズーム、パン、回転等）を変更したり、情報制御部７０７に別の情報を表示したりするように制御する。表示制御部７１０は情報制御部７０７から指定される情報をユーザ操作制御部７０６に指定された様態で表示部７０９において表示する。
【００２５】
ここで、ユーザ操作部７０１を操作することによりユーザが現在、表示部７０９に表示させている画像等の情報を情報処理装置であるテレビ１０６に送信する操作を行った場合、ユーザ操作制御部７０６は情報制御部７０７に対し、現在、メインディスプレイ１０３やサブディスプレイ１１０などの表示部７０９に表示中の画像等の情報をテレビ１０６に送信するように制御する。情報制御部７０７は情報記憶部７０２に記憶されている情報をコマンド・情報送信部７０３、ネットワークインタフェース部７０４を介してテレビ１０６に送信する。このような処理を行うことで、携帯電話機１０１のメインディスプレイ１０３に表示されている画像等の情報をテレビ１０６に送信することができる。
【００２６】
例えば、現在、メインディスプレイ１０３又はサブディスプレイ１１０に表示されている画像等の情報（第１の情報）よりも情報処理装置であるテレビ１０６のディスプレイ１０７での表示に適した他の画像等の情報（第２の情報）が情報記憶部７０２に記憶されていれば、他の画像等の情報をコマンド・情報送信部７０３を介してテレビ１０６に送信してもよいし、情報取得部７０８を介してネットワーク７０５から取得した上で、テレビ１０６に送信してもよい。
例えば、携帯電話機１０１で表示している画像に対し、高解像度の画像や広範囲・高解像度の画像がローカル、あるいはネットワーク上で利用可能であるならば、携帯電話機１０１でそれらの画像の情報を取得してテレビ１０６に送信してもよい。
図３の対応関係取得部７１１は情報制御部７０７と表示制御部７１０から、現在メインディスプレイ１０３又はサブディスプレイ１１０で表示している画像等の情報と、テレビ１０６に送信されディスプレイ１０７で表示される画像等の情報の対応関係を示す情報を取得し、コマンド・情報送信部７０３を介してテレビ１０６に送信する。
【００２７】
図４は、本実施形態による携帯電話機１０１の処理の一例を示すフローチャートである。始めに、ユーザ操作部７０１は、ユーザの操作に基づいて表示部７０９に表示する第１の情報を選択する（ステップＳ１０１）。ここでは、第１の情報が画像の情報である場合について説明する。
表示部７０９は、選択された第１の情報をメインディスプレイ１０３又はサブディスプレイ１１０に表示する（ステップＳ１０２）。ここで、ユーザが第１の情報を、情報処理装置であるテレビ１０６に送信する指示を行った場合（ステップＳ１０３：Ｙｅｓ）、コマンド・情報送信部７０３は第１の情報をテレビ１０６（図１）に送信する処理を行う（ステップＳ１０４）。
【００２８】
図５は、本実施形態による携帯電話機１０１の処理の一例を示すフローチャートであり、図４のフローチャートのステップＳ１０４の処理の詳細を示している。つまり、図５は、コマンド・情報送信部７０３が赤外線通信を利用して第１の情報をテレビ１０６に送信する処理を示している。送信先のテレビ１０６は、携帯電話機１０１の赤外線発光部１０２又は１１２を、テレビ１０６の赤外線受光部１０８に向けることにより指定される。コマンド・情報送信部７０３は情報記憶部７０２から送信対象となる第１の情報を取得し（ステップＳ２０１）、赤外線通信を行う対象である通信局（テレビ１０６など）を検出する処理に移る（ステップＳ２０２）。赤外線通信を行う対象である通信局が検出されれば、既定のプロトコルに従い通信局との間でコネクションを確立し（ステップＳ２０３）、第１の情報をネットワークインタフェース部７０４から通信局であるテレビ１０６に送信する（ステップＳ２０４）。第１の情報をテレビ１０６に送信し終わった時点で、テレビ１０６とのコネクションを切断し、赤外線通信の処理を終える（ステップＳ２０５）。
なお、図５は、第１の情報である画像の情報を携帯電話機１０１からテレビ１０６に送信する処理を示しているが、画像の情報以外の情報を送信する場合も基本的な処理は同じである。
【００２９】
図４に戻り、携帯電話機１０１がテレビ１０６に第１の情報を送信した後、第１の情報よりも高解像度である第２の情報が取得可能である場合には（ステップＳ１０５：Ｙｅｓ）、情報制御部７０７は情報取得部７０８を介して第２の情報を取得する（ステップＳ１０６）。ここでは、第２の情報が、第１の情報よりも高解像度の画像の情報である場合について説明する。
【００３０】
図６は、本実施形態による携帯電話機１０１の処理の一例を示すフローチャートであり、図４のフローチャートのステップＳ１０５の処理の詳細を示している。つまり、図６は、高解像度の画像の情報である第２の情報を取得する処理を示している。情報制御部７０７は情報記憶部７０２に記憶されている第１の情報の属性情報を取得する（ステップＳ３０１）。
【００３１】
図７は、属性情報の一例を示した図である。図に示すように、属性情報には、ファイル名（ｍａｐ．ｐｎｇなど）、ファイルＩＤ（Ａ９８８８４１７００２Ｃなど）、ファイルパス（Ｃ：／ｍａｐ／ｍａｐ．ｊｐｇなど）、情報タイプ（ｉｍａｇｅ／ｐｎｇなど）、色数（１６７７万色など）、解像度（２４０×３２０など）、ファイルサイズ（１２３ＫＢなど）、作成日時（２００５年８月１０日１４：５５など）、更新日時（２００５年８月１３日２０：１２など）、アクセス日時（２００５年８月１４日１１：０８など）、第２の情報取得ＵＲＬ（ｈｔｔｐ：／／ｗｗｗ．ｍａｐ−ｓｅｒｖｉｃｅ．ｎｅｔ／ｇｅｔ？ｉｄ＝Ａ９８８８４１７００２Ｃなど）等が含まれている。第２の情報取得ＵＲＬは、低解像度の画像等の情報である第１の情報に関連付けられている高解像度の画像等の情報である第２の情報が記憶されているネットワーク上のアドレスである。
【００３２】
図６に戻り、情報制御部７０７は、属性情報（図７）に基づいて、第２の情報取得ＵＲＬを取得する（ステップＳ３０２）。そして、情報取得部７０８は、第２の情報取得ＵＲＬにアクセスすることにより（ステップＳ３０３）、第２の情報を取得する（ステップＳ３０４）。情報取得部７０８が第２の情報の取得に成功した場合には、情報制御部７０７により第２の情報は情報記憶部７０２に記憶される（ステップＳ３０５）。
【００３３】
図４に戻り、ステップＳ１０６で第２の情報を取得した後、第２の情報をテレビ１０６に送信する（ステップＳ１０７）。なお、ステップＳ１０７の送信処理は、前述したステップＳ１０４（図５）と同様であるため、その説明を省略する。そして、第１の情報と第２の情報との対応関係を示す対応関係情報を取得し（ステップＳ１０８）、その対応関係情報をテレビ１０６に送信する（ステップＳ１０９）。対応関係情報の詳細については後述する。
なお、本実施形態では、ステップＳ１０７において携帯電話機１０１からテレビ１０６に第１の情報を送信しているが、この処理を省略してもよい。つまり、テレビ１０６が第１の情報の表示様態に関する情報だけでも携帯電話機１０１から取得できれば、その表示態様に関する情報をテレビ１０６のディスプレイ１０７に表示することにより、ユーザが混乱することを防ぐこともできる。
【００３４】
図８（ａ）〜（ｃ）は、メインディスプレイ１０３、サブディスプレイ１１０、ディスプレイ１０７で表示される画像の一例を示す図である。図８（ａ）は携帯電話機１０１のメインディスプレイ１０３（図１（ａ））に第１の情報として、地図情報である画像ｇ４が表示されている場合を示している。また、図８（ｂ）は携帯電話機１０１のサブディスプレイ１１０（図１（ｂ））に第１の情報として、地図情報である画像ｇ５が表示されている場合を示している。図８（ａ）及び図８（ｂ）の画像ｇ４及びｇ５は、ともにＡ駅を中心とした地図であるが、サブディスプレイ１１０に表示される画像ｇ５の方が、メインディスプレイ１０３に表示される画像ｇ４よりも表示範囲が狭い。一方、図８（ｃ）はテレビ１０６のディスプレイ１０７に第２の情報として、広範囲の地図情報である画像ｇ６が表示されている場合を示している。画像ｇ６は、画像ｇ４や画像ｇ５と同じように、Ａ駅を中心とした地図である。
【００３５】
このように、画像ｇ６（第２の情報）は、画像ｇ４又は画像ｇ５（第１の情報）とは精細度が異なる。ここで、精細度が異なる場合としては、例えば、画像の解像度が異なる場合、音声や動画のビットレートが異なる場合、地図や説明文の詳細度が異なる場合などがある。
図８（ａ）、（ｂ）の画像ｇ４、ｇ５と、図８（ｃ）の画像ｇ６とでは、精細度が異なる。つまり、第２の情報である画像ｇ６では表示範囲が広範囲であるのに対して、第１の情報である画像ｇ４及び画像ｇ５では表示範囲が狭範囲となっている。また、第２の情報では主要な施設名（Ａ駅、Ｔ大学など）の他に詳細な施設名（Ｂ店、Ｃ区役所、Ｅ幼稚園など）が表示されているのに対して、第１の情報では主要な施設名（Ａ駅、Ｔ大学など）のみが表示され詳細な施設名は表示されていない。
【００３６】
なお、図８（ａ）〜（ｃ）の説明では、第１の情報である画像ｇ４及びｇ５がＡ駅周辺（所定の範囲）について表現した情報であり、第２の情報である画像ｇ６が第１の情報より広範囲について表現した情報である場合について説明したが、このような構成に限定されるものではない。例えば、第２の情報が第１の情報より狭範囲について表現した情報であってもよい。
第２の情報が第１の情報より広範囲又は狭範囲である場合としては、例えば、地図の表示範囲が広い又は狭い場合や、画像の色数が多い又は少ない場合などがある。また、第１の情報及び第２の情報が音声の場合には、それらの音声の音域が広い又は狭い場合などがある。また、第１の情報及び第２の情報が動画の場合には、それらの動画の時間が長い又は短い場合や、動画の再生範囲が異なる場合などがある。
第２の情報を第１の情報より広範囲又は狭範囲として、再生範囲の異なる情報が出力されたときにその対応関係を示すことにより、情報の範囲は異なるが実質的に同一な情報であることをユーザは容易に知ることができる。
【００３７】
図９は、メインディスプレイ１０３、サブディスプレイ１１０、ディスプレイ１０７に表示される地図情報を、空間的に同期させて重ね合わせて示した図である。つまり、図９は、携帯電話機１０１のメインディスプレイ１０３に表示される画像ｇ４（図８（ａ））と、携帯電話機１０１のサブディスプレイ１１０に表示される画像ｇ５（図８（ｂ））と、テレビ１０６のディスプレイ１０７に表示される画像ｇ６（図８（ｃ））とを、Ａ駅を中心として重ね合わせた場合を示している。メインディスプレイ１０３、サブディスプレイ１１０、ディスプレイ１０７では、表示画面の大きさや解像度が異なるため、表示可能な情報量がそれぞれ異なっている。
【００３８】
図１０は、本実施形態によるテレビ１０６（情報処理装置）の構成の一例を示すブロック図である。ネットワーク８０５からネットワークインタフェース部８０４を介して受信したコマンド、情報、対応関係情報は、それぞれコマンド取得部８０３、情報取得部８０８、対応関係取得部８１１で処理される。ネットワークインタフェース部８０４は、赤外線受光部１０８（図１（ｃ））により構成される。コマンド取得部８０３が取得するコマンドは、第１の情報である画像等の情報に対する操作についての情報であり、ズームやパンなどの第１の情報の表示様態を異ならせるものである。コマンド取得部８０３は、与えられた操作の情報を情報制御部８０７に出力する。情報制御部８０７は、表示制御部８１０に対し第１の情報の表示の様態を変更する命令を出力する。表示制御部８１０は表示部８０９に第１の情報を表示する。表示部８０９は、ディスプレイ１０７（図１（ｃ））により構成される。
第１の情報の表示様態はユーザ操作部８０１（例えばテレビ１０６のリモコン（図示省略））によるユーザ操作によっても変更することができる。ユーザ操作はユーザ操作制御部８０６により処理され、同様に表示制御部８１０を介して第１の情報を表示する際に反映される。情報取得部８０８により取得された第１の情報は情報記憶部８０２に記憶されると共に情報制御部８０７に出力される。情報制御部８０７は表示制御部８１０を介し、第１の情報を表示部８０９に表示する。
【００３９】
図１１は、本実施形態によるテレビ１０６の処理の一例を示すフローチャートである。始めに、情報取得部８０８（情報識別手段）は、携帯電話機１０１（外部端末）の表示部７０９（第１の情報出力手段）に出力される画像等の情報（第１の情報）を取得（識別）する（ステップＳ４０１）。そして、受信された画像等の情報（第１の情報）と関連付けられている高解像度の画像等の情報（第２の情報）を情報取得部８０８（情報取得手段）により携帯電話機１０１から取得できたか否かについて判定する（ステップＳ４０２）。
第２の情報を取得できなかった場合には、第１の情報を表示部８０９に表示する（ステップＳ４１０）。一方、第２の情報を取得できた場合には、第１の情報と第２の情報の対応関係を示した対応関係情報が携帯電話機１０１から取得可能であるか否かについて判定する（ステップＳ４０３）。対応関係情報を対応関係取得手段８１１により取得した場合には、第２の情報を表示する際に、第１の情報及び第２の情報の時間的な対応関係を併せて表示部８０９に表示する（ステップＳ４０４）。
このように表示部８０９に第１の情報と第２の情報との対応関係を表示することにより、精細度が異なる情報の対応関係をユーザが容易に知ることができる。精細度が異なる場合には、同一の情報が一見全く異なった感じに表示される場合が起こりうるが、第１の情報と第２の情報との対応関係を示すことで、精細度が異なる場合にもユーザの混乱を防止することができる。
【００４０】
ステップＳ４０４の処理から一定時間経過した後（ステップＳ４０５）、第１の情報の表示と同期するように第２の情報を表示部８０９に表示する（ステップＳ４０６）。ここで、表示部８０９であるディスプレイ１０７での第１の情報の表示は、携帯電話機１０１における表示と同様であるが、一定時間経過すると、ディスプレイ１０７の大画面を活かした高精細な情報表示へと移行する。
【００４１】
一方、ステップＳ４０３で、対応関係情報が取得できない場合には、第１の情報と第２の情報との対応関係を表示しないようにする。例えば、第１の情報を表示部８０９に表示し（ステップＳ４０７）、一定時間経過後（ステップＳ４０８）、第２の情報を表示部８０９に表示する（ステップＳ４０９）。
なお、第１の情報と第２の情報とが、同範囲の画像であって解像度のみが異なる場合、例えば、第１及び第２の情報がともに同じ領域の地図の画像であって、その地図の解像度が異なるような場合には、ステップＳ４０３で対応関係情報を取得できない場合であっても、第１の情報と第２の情報との対応関係を表示することができる。
【００４２】
本実施形態において、携帯電話機１０１に出力される第１の情報と、テレビ１０６に出力される第２の情報は、含まれる情報量は異なるものの同じ対象を扱う情報である。例えば、第１の情報が画像である場合には、第２の情報は解像度や色数などが異なる画像である。また、第１の情報が地図である場合には、第２の情報は同一の領域の地図であって解像度や記載される文字やアイコンなどの情報量が異なる地図などである。なお、この場合、同一の領域を含むが一方の地図が他方の地図より広い領域の情報を含む地図であってもよい。
また、第１及び第２の情報が動画である場合には、画像サイズやエンコードビットレートが異なる同一の動画であってもよいし、一方の動画が他方の動画よりも長時間の動画であってもよい。つまり、第１の情報と第２の情報との間には、何らかの対応関係が存在すればよい。
【００４３】
ここで、第１の情報と関連付けられている第２の情報は、第１の情報と異なるファイルであることが多いが、第１の情報と第２の情報とが単一のファイルであってもよい。例えば、画面の解像度に応じて表示する情報量を調整するような地図ファイルを用いることができる。これは、低解像度の画像を表示するときには、主な施設名等しか地図上に表示しないが、高解像度の画像を表示するときには、より詳細な情報を表示する。このようなファイルでは、第１の情報及び第２の情報が単一のファイルとして扱われる。このような、複数の表示様態に対応する情報を多重化して単一のファイルとして蓄積するファイル形式としては、解像度多重、色深度多重、多重レイヤ、ビットレート多重など多重化の対象とするものが幅広く知られている。例えば、複数の解像度の情報を蓄積することができる解像度多重ファイルフォーマットであり、ＪＰＥＧ（Joint Photographic Experts Group）によって規格化されたＪＰＥＧ２０００などである。
【００４４】
なお、図１１のステップＳ４０４の説明では、第２の情報を表示する際に、第１の情報及び第２の情報の時間的な対応関係を併せて表示部８０９に表示する場合について説明したが、このような構成に限定されるものではない。例えば、第２の情報を表示（出力）する際に、第１の情報及び第２の情報の時間的な又は空間的の少なくとも１以上の対応関係を併せて表示部８０９（第２の情報出力手段）に表示するようにしてもよい。
ここで、時間的な対応関係を表示するとは、第１及び第２の情報が動画などの時間的に変動する情報である場合に、同じ場面を同じ時刻に表示する場合などをいう。つまり、音声や動画などの時間推移を含むメディアにおける、第１の情報の再生ポイントと、第２の情報の再生ポイントの対応関係を併せて表示することをいう。
例えば、第１の情報、第２の情報とも５分間の動画情報で、エンコードレートと画像の大きさが異なる場合には、第１の情報を２分１２秒の再生ポイントで一時停止した状態で、外部端末であるテレビ１０６に表示を切り替えた際に、第２の情報を冒頭から再生すると、今まで見ていた動画（第１の情報）のシーンと異なるシーンが再生されるので、ユーザは混乱してしまう。
そこで、例えば同じ２分１２秒の再生ポイントから再生することにより、時間的な対応関係をユーザに示すことで、ユーザは第１及び第２の情報が実質的に同一であることを容易に認識することができる。また、第２の情報の再生自体は先頭から開始するが、第１の情報は２分１２秒の時点まで再生しているという表示を出したり、２分１２秒の時点まで移動する処理を行ったりするなどにより、第１の情報と第２の情報の時間的な対応関係を表示することができる。
【００４５】
また、空間的な対応関係を表示するとは、第１及び第２の情報が画像などの時間的に変動しない情報である場合に、同じ地点を重ね合わせるように表示する場合などをいう。つまり、画像などの大きさを有するメディアにおける、第１の情報の再生エリアと、第２の情報の再生エリアの対応関係を併せて表示することをいう。
例えば、第１及び第２の情報がともにＡ駅を中心とする地図の画像情報で、一方の画像情報は２ｋｍ四方の領域を示す地図であり、もう一方の画像は４ｋｍ四方の領域を示す地図である場合に、第１の情報を表示している状況で、別の機器に表示を切り替えた際に、第２の情報がそのまま表示されると、今まで見ていた地図と異なる範囲の地図が表示されるので、ユーザは混乱してしまう。
そこで、例えば第１の情報の表示部分をユーザにわかるように線で区切って表示することで、ユーザは今まで見ていた情報が、外部端末による表示において、どの部分に該当するのかを知り、双方の情報が実質的に同一であることを容易に認識することができる。
【００４６】
図１２（ａ）、（ｂ）は、本実施形態によるテレビ１０６（図１（ｃ））のディスプレイ１０７に表示される画像の一例を示す図である。始めに、図１２（ａ）に示すように第１の情報として、携帯電話機１０１のメインディスプレイ１０３に表示されていた画像ｇ４（図８（ａ））がディスプレイ１０７に表示される。一定時間が経過すると、図１２（ｂ）に示すように第２の情報として、第１の情報よりも広範囲かつ詳細な店舗名等が記載された地図である画像ｇ６（図８（ｃ））がディスプレイ１０７に表示される。ここで第１の情報の表示の様態は、携帯電話機１０１のメインディスプレイ１０３の表示と適合しており、かつ、第１の情報と第２の情報は空間的に同期して表示される。ここでは、駅や道路の位置関係は第１の情報と第２の情報の表示においてディスプレイ１０７の同じ位置に表示される。ここでは、瞬時に第１の情報から第２の情報へ表示が移行する様子を示しているが、同一のディスプレイに表示される第１の情報を徐々に薄くするとともに第２の情報を徐々に濃くしていく映像技術であるディゾルブを用いたり、第１の情報に第２の情報が割り込ませるようにして画像を切り替える映像技術であるワイプを用いたり、第１の情報と第２の情報との間の中間段階の画像を動的に生成する技術であるモーフィングなどを用いたりすることによって、第１の情報から第２の情報へ滑らかに表示が変化するようにしてもよい。
【００４７】
つまり、表示部８０９（第２の情報出力手段）により、第１の情報の一部又は全部を出力後、第２の情報を出力する際に、第１の情報又は第２の情報の少なくとも１以上から動的に生成される、少なくとも１以上の中間段階を経て段階的に表示するようにしてもよい。
第１の情報から第２の情報に急に変化すると、ユーザがそれらの情報の違いに戸惑う可能性がある。そこで、第１の情報及び第２の情報からその中間段階の情報を生成し、段階的に情報の変化を表示することで、ユーザは急激な変化に戸惑うことなく、より容易に第１及び第２の情報の対応関係を把握することができる。
【００４８】
図１３（ａ）、（ｂ）は、本実施形態によるテレビ１０６（図１（ｃ））のディスプレイ１０７に表示される画像の他の一例を示す図である。始めに、図１３（ａ）に示すように第１の情報として、携帯電話機１０１のサブディスプレイ１１０に表示されていた画像ｇ５（図８（ｂ））がディスプレイ１０７に表示される。一定時間が経過すると、図１３（ｂ）に示すように第２の情報として、第１の情報よりも広範囲かつ詳細な店舗名等が記載された地図である画像ｇ６（図８（ｃ））がディスプレイ１０７に表示される。
ここでは、第２の情報と第１の情報を空間的に同期させて表示するため、つまり、第１の情報と第２の情報とで駅や道路の位置関係が変化しないように表示するため、図１３（ａ）に示すように、第１の情報を回転させた状態でディスプレイ１０７に表示している。
【００４９】
図１４（ａ）、（ｂ）は、本実施形態によるテレビ１０６（図１（ｃ））のディスプレイ１０７に表示される画像の更に他の一例を示す図である。図１４（ａ）、（ｂ）は、それぞれ図１３（ａ）、（ｂ）とほぼ同じであるが、図１３（ａ）では、サブディスプレイ１１０に表示される画像ｇ４の向きを基準として施設名の表示方向を決めていたが、図１４（ａ）では、ディスプレイ１０７に表示される画像ｇ６の向きを基準として施設名の表示方向を決めている。このような処理を行うことにより、施設名は常にディスプレイ１０７の表示方向を基準に決められるため、ユーザは混乱することなく、ディスプレイ１０７に表示される施設名を読み取ることができる。
【００５０】
なお、図１３（ａ）、図１４（ａ）では、サブディスプレイ１１０に表示される画像ｇ５（図８（ｂ））をディスプレイ１０７に傾いた状態で表示させているが、これに限定されるものではない。例えば、画像ｇ５をディスプレイ１０７に傾きのない状態で表示後、徐々に画像ｇ５を回転させて図１３（ａ）、図１４（ａ）のように表示し、その後に、第２の情報をディスプレイ１０７に表示するようにしてもよい。
【００５１】
図１５（ａ）、（ｂ）は、第１及び第２の情報が動画である場合について説明するための図である。図１５（ａ）は、第１及び第２の情報である動画像を時間的・空間的に同期させる場合を示している。時間ｔ０から時間ｔ１までは第１の情報として低解像度情報である画像ｇ１１〜ｇ１３が再生され、時間ｔ１から時間ｔ２までは第２の情報として高解像度情報である画像ｇ１４〜ｇ１６が再生されることにより、ユーザに対して第１の情報と第２の情報間の対応関係を示している。ここでは、画像の大きさが変わらないので、空間的に第１及び第２の情報は同期している。また、時間ｔ１を境に画像ｇ１３と画像ｇ１４とが途切れることなく再生されるため、時間的にも同期している。すなわち時空間的に同期している。時間ｔ１以降、音声、画像とも高解像度の情報に切り替わるが、ユーザは２つの情報が同一の情報であることを直感的に把握することができる。
【００５２】
図１５（ｂ）は、第１の情報および第２の情報において再生範囲が異なる場合を示している。最初に第１の情報として低解像度情報である画像ｇ２１がディスプレイ１０７に表示された後、第２の情報として高解像度情報である画像ｇ２２がディスプレイ１０７に表示される。第２の情報は第１の情報に対して解像度が高く、広範囲の領域についての情報である。第１及び第２の情報は、時空間的に同期しているため、ゴルファの位置は情報の移行時にずれることはなく、ユーザは一連のティーショットの過程に画像が急に鮮明になり、また広い範囲まで見えるように感じる。ここでは、第１の情報から第２の情報への移行時に、音声も高音質なものに変化させる。このように、時間的・空間的に同期させて２つの情報を連続的にユーザに対して出力することにより、ユーザは直感的に２つの情報の対応関係を把握することが可能となる。
【００５３】
なお、ここでは、第２の情報を携帯電話機１０１が取得し、テレビ１０６に送信する場合について説明しているが、テレビ１０６が第２の情報を取得するようにしてもよい。また、前述のように第１の情報と第２の情報を同一のファイルに記憶するようにしてもよい。テレビ１０６は、携帯端末機１０１における第１の情報の表示様態に関する情報を携帯電話機１０１から取得する。
【００５４】
図１６（ａ）〜（ｃ）は、テレビ１０６のディスプレイ１０７に第１の情報と第２の情報との対応関係を表示する方法の一例を示す図である。図１６（ａ）は、第２の情報に含まれる第１の情報の範囲を枠線ｗ１で囲むことにより、第１の情報と第２の情報との対応関係を表示する場合を示している。図１６（ｂ）は、第２の情報に含まれる第１の情報の範囲の明度を上げるように表示し、それ以外の範囲の明度を下げることにより、第１の情報と第２の情報との対応関係を表示する場合を示している。図１６（ｃ）は、第２の情報に含まれる第１の情報の範囲以外の領域をぼかすことにより、第１の情報と第２の情報との対応関係を表示する場合を示している。
図１６（ａ）〜（ｃ）に表示される対応関係は、一定時間が経過すると消え、図８（ｃ）のような通常の画面が表示される。これは、いったんユーザが第１の情報と第２の情報との対応関係を把握できれば、それ以後、対応関係を表示する必要がなくなるからである。なお、ユーザの指示等によって、対応関係の表示の有無を切り替えるようにしてもよい。
【００５５】
図１７（ａ）〜（ｅ）は、テレビ１０６のディスプレイ１０７に第１の情報と第２の情報との対応関係を表示する方法の他の一例を示す図である。これらの図は、テレビ１０６のディスプレイ１０７に表示される第２の情報のどの領域が、携帯電話機１０１のメインディスプレイ１０３又はサブディスプレイ１１０に表示される第１の情報に対応しているかを示している。図１７（ａ）は、第１の情報である画像ｊ１１が、第２の情報である画像ｊ２上に所定の角度だけ回転した状態で表示されている場合を示している。
図１７（ｂ）は、第１の情報の表示履歴の画像ｊ１２〜ｊ１６を、第２の画像ｊ２上に表示した場合を示している。この図では、第１の情報の領域を示す枠線が点線から実線、細線から太線になるほど表示履歴が新しい第１の情報であることを示している。ここでは、画像ｊ１２に対して、ズームの処理を行った場合（画像ｊ１３）、回転の処理を行った場合（画像ｊ１４、ｊ１５）、平行移動の処理を行った場合（画像ｊ１６）を示している。
【００５６】
図１７（ｃ）は、ユーザが携帯電話機１０１のメインディスプレイ１０３又はサブディスプレイ１１０に表示させた画像ｊ１７、ｊ１８の領域の明度を上げ、それ以外の領域については明度を下げた場合を示している。図１７（ｄ）、（ｅ）は、第２の情報である画像ｊ２上に、複数の第１の情報である画像ｊ１９、ｊ１０を表示する場合を示している。画像ｊ１９、ｊ１０は、例えば、携帯電話機１０１のメインディスプレイ１０３及びサブディスプレイ１１０に表示される画像や、複数の機器のディスプレイに表示される画像などである。図１７（ｄ）では、テレビ１０６のディスプレイ１０７における画像ｊ２の表示方向を基準として、画像ｊ１９、ｊ１０に含まれる文字（Ａ、Ｂなど）を表示している。また、図１７（ｅ）では、携帯電話機１０１のメインディスプレイ１０３及びサブディスプレイ１１０の表示方向を基準として、第１の情報ｊ１９、ｊ１０に含まれる文字（Ａ、Ｂなど）の表示方向を決定している。
図１７（ｄ）、（ｅ）のように第１の情報を第２の情報中に出力することにより、ユーザは自分の携帯電話機１０１のメインディスプレイ１０３及びサブディスプレイ１１０に表示している画像が、テレビ１０６のディスプレイ１０７のどの領域に該当するのかを容易に理解することが可能になる。
ここでは、一人のユーザが保有する携帯電話機１０１のメインディスプレイ１０３又はサブディスプレイ１１０に表示される画像を、テレビ１０６のディスプレイ１０７に表示する例を説明しているが、複数人のユーザがそれぞれの携帯電話機に蓄積されている画像をテレビ１０６に表示させる場合も考えられる。その際には、個々のユーザが使用する携帯電話機を識別する情報（例えばユーザ名など）を、個々の携帯電話機に表示されている第１の情報と併せてディスプレイ１０７上に常時、表示することが望ましい。
なお、上述した説明では、テレビ１０６のディスプレイ１０７上に、第１の情報として画像ｊ１１〜ｊ１９を表示するようにしたが、これに限定されるものではなく、画像ｊ１１〜ｊ１９の外枠の範囲のみを示す（図１６（ａ）参照）ことにより、第１の情報と第２の情報との対応関係を示すようにしてもよい。
【００５７】
図１８（ａ）〜（ｄ）は、テレビ１０６のディスプレイ１０７に第１の情報と第２の情報との対応関係を表示する方法の更に他の一例を示す図である。図１８（ａ）は、第１の情報である画像ｊ３１を、第２の情報である画像ｊ２の中心に表示するようにした場合を示している。また、図１８（ｂ）は、第２の情報である画像ｊ２の端に、第１の情報である画像ｊ３２を表示した場合を示している。
図１８（ｃ）は、第１の情報の過去３回分の画像ｊ３３〜ｊ３５を、第２の情報である画像ｊ２上に表示した場合を示している。
図１８（ｄ）は、第２の情報である画像ｊ２が予め何らかの手順に従い分割されており、その中からひとつを選択する場合の表示例を示したもので、第１及び第２の情報は地図の画像などである。携帯電話機１０１における第１の情報は自由に回転・移動することができるが、テレビ１０６のディスプレイ１０７に表示される第２の情報は予め定められた区画に従い分割された情報となっている。この場合、第２の情報は第１の情報との重複がなるべく大きくなるように選択される。
【００５８】
図１９、図２０、図２１は、第１の情報である画像と第２の情報である画像とを同期させる方法について説明するための図である。ここでは、表示範囲、拡大率、回転角がそれぞれ異なる第１の情報と第２の情報とを同期させて表示する方法について説明する。図１９に示すように、画像Ａ００１は、グローバル座標系におけるメインディスプレイ１０３に表示される第１の情報の表示領域を示している。画像Ａ００２は、グローバル座標系におけるディスプレイ１０７に表示される第２の情報の表示領域を示している。グローバル座標系は、第１の情報及び第２の情報を切り出す元情報が有する座標系のことを指す。グローバル座標系は、元情報に固有のものであるが、情報が広域地図のようなものであれば、緯度、経度、距離などのより普遍的な座標との対応情報も利用できる。
【００５９】
画像Ａ００１と画像Ａ００２は、それぞれの表示領域の中心点Ｐ（ｘ，ｙ）を共有するようにディスプレイ１０７に表示される（図１８（ａ）参照）。
図２０（ａ）に示すように、第１の情報の表示の様態に関する情報としては、中心点Ｐの座標（ｘ，ｙ）、幅ｗ１、高さｈ１、回転角ｒ１が与えられる。また、図２０（ｂ）に示すように、第２の情報の表示の様態に関する情報としては、中心点Ｐの座標（ｘ，ｙ）、高さｈ２、幅ｗ２、回転角ｒ２が与えられる。これらの値はすべてグローバル座標系に基づくものである。なお、第１の情報に固有の座標系と、第２の情報に固有の座標系とは通常異なる。
【００６０】
図２１は、第１の情報と第２の情報を空間的に同期させてテレビ１０６のディスプレイ１０７に表示した場合を示している。グローバル座標系からディスプレイ１０７のローカル座標系に変換するための拡大率αが高さ、幅に乗じられる。第１の情報および第２の情報の中心点Ｐはディスプレイ１０７の中心座標Ｐ’（Ｘ，Ｙ）に重なるように表示される。ディスプレイ１０７においては、第２の情報が正立するように表示されるので、第１の情報は中心点Ｐ（ｘ，ｙ）を中心に角度ｒ１−ｒ２だけ回転される。
すなわち、第１の情報を第２の情報と同期させて表示するためには、第１の情報は次の座標変換を経て表示される。数学的にはすべての変換は３×３の変換行列で表すことができ、ディスプレイ１０７におけるローカル座標系(ｘｌ，ｙｌ)からグローバル座標系（ｘｇ，ｙｇ）への座標と長さの写像は以下の式（１）により表わすことができる。
【００６１】
【数１】
2007156961.tif 000003
【００６２】
式（１）により以下のような処理が行われる。始めに、第１の情報の中心点Ｐが原点に重なるようにｘ方向に−ｗ１／２、ｙ方向に−ｈ１／２だけ平行移動される。次に、原点を中心にｒ１−ｒ２だけ回転される。次に、ローカル座標系に合わせるため拡大率αで拡大される。次に、第１の情報の中心点Ｐがディスプレイ１０７の中心点Ｐ’に重なるようにｘ方向にＸ、ｙ方向にＹだけ平行移動される。
このような座標変換を施した上で、第１の情報をディスプレイ１０７上で表示することにより、第２の情報と空間的に同期させることができる。
仮に、第１の情報の中心点Ｐ１（ｘ１，ｙ１）と第２の情報の中心点Ｐ２（ｘ２，ｙ２）とが異なる場合には、グローバル座標系において（ｘ１−ｘ２，ｙ１−ｙ２）だけ平行移動してからローカル座標系に変換すればよく、写像は以下の式（２）のように表わされる。
【００６３】
【数２】
2007156961.tif 000004
【００６４】
式（２）により以下のような処理が行われる。始めに、第１の情報の中心点Ｐが原点に重なるようにｘ方向に−ｗ１／２、ｙ方向に−ｈ１／２だけ平行移動される。次に、原点を中心にｒ１−ｒ２だけ回転される。次に、第１の情報の中心点Ｐ１と第２の情報の中心点Ｐ２との差異（ｘ１−ｘ２，ｙ１−ｙ２）だけ平行移動される。次に、ローカル座標系に合わせるため拡大率αで拡大される。次に、ローカル座標系に合わせるためｘ方向にＸ、ｙ方向にＹだけ平行移動される。
このような変換を施した第１の情報をディスプレイ１０７上に表示し、その後、第２の情報を表示すれば、第１の情報と第２の情報を空間的に同期させることができる。第１の情報を表示させず、第１の情報の表示領域のみを枠線などで表示する場合にも、第１の情報の表示領域を示す矩形を上記と同様に変換することで、第２の情報表示における第１の情報の表示領域を算出し、表示することが可能である。
【００６５】
上述した本実施形態によるテレビ１０６では、第１の情報を情報取得部８０８（情報取得手段）により取得し、第１の情報の一部又は全部を出力後、第２の情報を出力することによって対応関係を表示部８０９（第２の情報出力手段）により出力する。これにより、第１の情報に続けて第２の情報が出力されることで、ユーザはその２つの情報が互いに関連する情報であることを直感的に理解することができる。
【００６６】
また、本実施形態によるテレビ２１では、第１の情報の一部又は全部を出力後、第２の情報を出力する際に、第１の情報と第２の情報を時間的又は空間的の少なくとも１以上で同期させて表示部８０９（第２の情報出力手段）により出力する。
ここで、時間的又は空間的の少なくとも１以上で同期とは、時間的に同期、空間的に同期、その双方を同期させる時空間的に同期のすべての様態を含む。
このように、時間的・空間的に同期させて２つの情報を連続的にユーザに提示することにより、ユーザは直感的に２つの情報の対応関係を把握することが可能となる。
【００６７】
また、本実施形態によるテレビ２１では、表示部７０９（第１の情報出力手段）における第１の情報の出力様態に関する情報を情報取得部８０８（情報取得手段）により取得し、第１の情報又は第２の情報の出力時に、第１の情報の出力様態に関する情報を表示部８０９（第２の情報出力手段）により出力する。
ここで第１の情報の表示部７０９における出力様態とは、第１の情報のどの部分が、どのような形で出力されているかという情報を示す。情報が地図などの静止画である場合には、その出力様態とはその静止画のどの部分がどのような方向でどのような倍率で、表示部７０９において出力されていたかということを示す。例えば、表示部８０９の方が広範囲の情報を表示できる場合には、表示部７０９において表示されている領域を枠で区切って表示することで、第１の情報の出力様態に関する情報を出力することができる。また、第１の情報及び第２の情報が動画である場合の出力様態とは、例えば、第１の情報が第２の情報におけるどの時間帯の動画であるかを示す情報である。
この出力様態に関する情報を出力することで、ユーザは表示部７０９において出力されている部分が、表示部８０９のどの部分に該当するのかということを容易に知ることができる。該当部分を枠線で区切るだけでもよいし、該当部分に関しては表示部７０９で出力されている様態（解像度・色数）でいったん出力し、ユーザに対応関係を直感的に認識させてもよい。ユーザが認識した後は、ユーザの指示か時間経過などの条件により、この対応関係の表示は消去される。
【００６８】
なお、以上説明した実施形態において、図１０におけるユーザ操作部８０１、情報記憶部８０２、コマンド取得部８０３、ネットワークインタフェース部８０４、ユーザ操作制御部８０６、情報制御部８０７、情報取得部８０８、表示部８０９、表示制御部８１０、対応関係取得部８１１の機能又はこれらの機能の一部を実現するためのプログラムをコンピュータ読み取り可能な記録媒体に記録して、この記録媒体に記録されたプログラムを情報制御部８０７で代表されるコンピュータシステムに読み込ませ、実行することにより情報処理装置の制御を行ってもよい。なお、ここでいう「コンピュータシステム」とは、ＯＳ、ＣＰＵ、周辺機器等のハードウェアを含むものとする。
【００６９】
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時刻の間、動的にプログラムを保持するもの、その場合のサーバやクライアントとなるコンピュータシステム内部の揮発性メモリのように、一定時刻プログラムを保持しているものも含むものとする。また上記プログラムは、前述した機能の一部を実現するためのものであっても良く、さらに前述した機能をコンピュータシステムにすでに記録されているプログラムとの組み合わせで実現できるものであっても良い。
【００７０】
以上、この発明の実施形態について図面を参照して詳述してきたが、具体的な構成はこの実施形態に限られるものではなく、この発明の要旨を逸脱しない範囲の設計等も含まれる。
【図面の簡単な説明】
【００７１】
【図１】本発明の実施形態による情報処理システムの構成を示す概略図である。
【図２】ディスプレイ１０７、サブディスプレイ１１０、メインディスプレイ１０３のアスペクト比を説明するための図である。
【図３】本実施形態による携帯電話機１０１の構成の一例を、本発明によって付加された構成を中心に特に取り出して示すブロック図である。
【図４】本実施形態による携帯電話機１０１の処理の一例を示すフローチャートである。
【図５】本実施形態による携帯電話機１０１の処理の一例を示すフローチャートである。
【図６】本実施形態による携帯電話機１０１の処理の一例を示すフローチャートである。
【図７】属性情報の一例を示した図である。
【図８】メインディスプレイ１０３、サブディスプレイ１１０、ディスプレイ１０７で表示される画像の一例を示す図である。
【図９】メインディスプレイ１０３、サブディスプレイ１１０、ディスプレイ１０７に表示される地図情報を、空間的に同期させて重ね合わせて示した図である。
【図１０】本実施形態によるテレビ１０６の構成の一例を示すブロック図である。
【図１１】本実施形態によるテレビ１０６の処理の一例を示すフローチャートである。
【図１２】本実施形態によるテレビ１０６のディスプレイ１０７に表示される画像の一例を示す図である。
【図１３】本実施形態によるテレビ１０６のディスプレイ１０７に表示される画像の他の一例を示す図である。
【図１４】本実施形態によるテレビ１０６のディスプレイ１０７に表示される画像の更に他の一例を示す図である。
【図１５】第１及び第２の情報が動画である場合について説明するための図である。
【図１６】テレビ１０６のディスプレイ１０７に第１の情報と第２の情報との対応関係を表示する方法の一例を示す図である。
【図１７】テレビ１０６のディスプレイ１０７に第１の情報と第２の情報との対応関係を表示する方法の他の一例を示す図である。
【図１８】テレビ１０６のディスプレイ１０７に第１の情報と第２の情報との対応関係を表示する方法の更に他の一例を示す図である。
【図１９】第１の情報である画像と第２の情報である画像とを同期させる方法について説明するための図である。
【図２０】第１の情報である画像と第２の情報である画像とを同期させる方法について説明するための図である。
【図２１】第１の情報である画像と第２の情報である画像とを同期させる方法について説明するための図である。
【図２２】従来の情報処理システムを説明するための図である。
【符号の説明】
【００７２】
１０１・・・携帯電話機、１０２・・・赤外線発光部、１０３・・・メインディスプレイ、１０６・・・テレビ、１０７・・・ディスプレイ、１０８・・・赤外線受光部、１０９・・・スピーカ、１１０・・・サブディスプレイ、１１２・・・赤外線発光部、１１４・・・可搬型記憶媒体、１１５・・・上部筐体、１１６・・・下部筐体、１１７・・・ヒンジ、２０１・・・携帯電話機、２０２・・・赤外線発光部、２０３・・・ディスプレイ、２０６・・・テレビ、２０７・・・ディスプレイ、２０８・・・赤外線受光部、７０１・・・ユーザ操作部、７０６・・・ユーザ操作制御部、７０１・・・ユーザ操作部、７０２・・・情報記憶部、７０３・・・コマンド・情報送信部、７０４・・・ネットワークインタフェース部、７０５・・・ネットワーク、７０６・・・ユーザ操作制御部、７０７・・・情報制御部、７０８・・・情報取得部、７０９・・・表示部、７１０・・・表示制御部、７１１・・・対応関係取得部、８０１・・・ユーザ操作部、８０２・・・情報記憶部、８０３・・・コマンド取得部、８０４・・・ネットワークインタフェース部、８０５・・・ネットワーク、８０６・・・ユーザ操作制御部、８０７・・・情報制御部、８０８・・・情報取得部、８０９・・・表示部、８１０・・・表示制御部、８１１・・・対応関係取得部
【図１】
2007156961.tif 000005
【図２】
2007156961.tif 000006
【図３】
2007156961.tif 000007
【図４】
2007156961.tif 000008
【図５】
2007156961.tif 000009
【図６】
2007156961.tif 000010
【図７】
2007156961.tif 000011
【図８】
2007156961.tif 000012
【図９】
2007156961.tif 000013
【図１０】
2007156961.tif 000014
【図１１】
2007156961.tif 000015
【図１２】
2007156961.tif 000016
【図１３】
2007156961.tif 000017
【図１４】
2007156961.tif 000018
【図１５】
2007156961.tif 000019
【図１６】
2007156961.tif 000020
【図１７】
2007156961.tif 000021
【図１８】
2007156961.tif 000022
【図１９】
2007156961.tif 000023
【図２０】
2007156961.tif 000024
【図２１】
2007156961.tif 000025
【図２２】
2007156961.tif 000026